(57)【要約】【課題】本発明は、不使用時には小さく収納することができ、使用時には短時間で仕切り壁に構築できる簡易間仕切りを提供する。【解決手段】本発明に係る簡易間仕切り１は、空気を注入することにより、矩形マット状に成形される間仕切り本体２と、接地面が成形されて前記間仕切り本体２を起立状態に保持する脚部３，３とが形成されることを特徴とする。【選択図】  図１
2011074588.tif 000002
【特許請求の範囲】
【請求項１】
空気を注入することにより、矩形マット状に成形される間仕切り本体と、接地面が成形されて前記間仕切り本体を起立状態に保持する脚部と、が形成される
ことを特徴とする簡易間仕切り。
【請求項２】
前記間仕切り本体と前記脚部とは、互いに独立した空気室を有する
ことを特徴とする請求項１に記載の簡易間仕切り。
【請求項３】
前記脚部は、前記間仕切り本体の一側短縁部の両側に一体的に連接されている
ことを特徴とする請求項１又は請求項２に記載の簡易間仕切り。
【請求項４】
前記間仕切り本体の少なくとも一側面に、情報を掲示するための情報掲示部を設けた
ことを特徴とする請求項１〜請求項３の何れか１項に記載の簡易間仕切り。
【請求項５】
前記間仕切り本体の端縁部に連結用耳部を設けた
ことを特徴とする請求項１〜請求項４の何れか１項に記載の簡易間仕切り。
【請求項６】
前記間仕切り本体をエアマットとして利用可能とするとともに、前記脚部を断面略三角形状とし、前記間仕切り本体をエアマットとして利用する際には、前記脚体の一方のみを膨張させて空気枕として利用可能とした
ことを特徴とする請求項２〜請求項５の何れか１項に記載の簡易間仕切り。
【発明の詳細な説明】
【技術分野】
【０００１】
本発明は、簡易間仕切りに関する。
【背景技術】
【０００２】
従来、例えば、地震や水害などのような大規模な災害が発生した場合、学校の体育館などが避難所に指定されることが多い。その場合、体育館等のような広いスペースに、簡易な救護所や、避難した人たちが寝食する避難スペース等が設けられることとなる。これらの救護所や避難スペースにおいては、プライバシーの観点からパーテーションを設けることが望ましい。
【０００３】
そこで、あり合わせのパーテーションを集めて、これらパーテーションで囲んだスペースを救護所や避難スペースとして使用することが行なわれている。例えば、特許文献１には、パネル式のパーテーションが開示されており、このパーテーションは、使用時において複数枚からなるつい立パネルを平面視コ字状に展開して使用し、不使用時において平面視四角形状に折り畳み収納する構造である。
【先行技術文献】
【特許文献】
【０００４】
【特許文献１】特開２００２−１０１９５９号公報
【発明の概要】
【発明が解決しようとする課題】
【０００５】
しかしながら、避難所において、十分な数のパーテーションを即座に準備することは難しく、仮に、特許文献１に示すパーテーションを事前に備蓄していたとしても、不使用時の構造が平面視四角形状のものを立設した状態で保管しなければならないために、広い保管スペースを用意する必要があった。また、かかるパーテーションが設定されたとしても、避難者らは、オープンスペース状態の中で、プライバシーを守られることなく雑魚寝を強いられる問題があった。
【０００６】
本発明は、不使用時には小さく収納することができ、使用時には短時間で仕切り壁を構築できる簡易間仕切りを提供することを目的とする。
【課題を解決するための手段】
【０００７】
請求項１に記載の簡易間仕切りは、空気を注入することにより、矩形マット状に成形される間仕切り本体と、接地面が成形されて前記間仕切り本体を起立状態に保持する脚部とが形成されることを特徴とする。
【０００８】
請求項２に記載の簡易間仕切りは、請求項１に記載の簡易間仕切りにおいて、前記間仕切り本体と前記脚部とは、互いに独立した空気室を有することを特徴とする。
【０００９】
請求項３に記載の簡易間仕切りは、請求項１又は請求項２に記載の簡易間仕切りにおいて、前記脚部は、前記間仕切り本体の一側短縁部の両側に一体的に連接されていることを特徴とする。
【００１０】
請求項４に記載の簡易間仕切りは、請求項１〜請求項３の何れか１項に記載の簡易間仕切りにおいて、前記間仕切り本体の少なくとも一側面に、情報を掲示するための情報掲示部を設けたことを特徴とする。
【００１１】
請求項５に記載の簡易間仕切りは、請求項１〜請求項４の何れか１項に記載の簡易間仕切りにおいて、前記間仕切り本体の端縁部に連結用耳部を設けたことを特徴とする。
【００１２】
請求項６に記載の簡易間仕切りは、請求項２〜請求項５の何れか１項に記載の簡易間仕切りにおいて、前記間仕切り本体をエアマットとして利用可能とするとともに、前記脚部を断面略三角形状とし、前記間仕切り本体をエアマットとして利用する際には、前記脚体の一方のみを膨張させて空気枕として利用可能としたことを特徴とする。
【発明の効果】
【００１３】
本発明によれば、収納性、組立容易性に優れた簡易間仕切りを提供でき、通常の不必要時には小さく収納しておき、例えば災害時などのような緊急時には短時間で間仕切りを組上げて使用することができる。
【図面の簡単な説明】
【００１４】
【図１】本実施形態に係る簡易間仕切りを示す全体斜視図である。
【図２】本実施形態に係る簡易間仕切りを示す平面図である。
【図３】本実施形態に係る簡易間仕切りの収納状態を示す斜視図である。
【図４】本実施形態に係る簡易間仕切りの使用状態を示す斜視図である。
【図５】本実施形態に係る簡易間仕切りの使用状態を示す平面図である。
【発明を実施するための形態】
【００１５】
本実施形態に係る簡易間仕切りは、使用時には短時間で折り畳んだ状態から簡易間仕切りに構築でき、不使用時には折り畳んで小さくして収納できる構造を備えている。その構造は、空気を注入することにより、矩形マット状に成形される間仕切り本体と、接地面が成形されて前記間仕切り本体を起立状態に保持する脚部とが形成されている。
【００１６】
したがって、本実施形態に係る簡易間仕切りを、避難所などに指定されている施設（体育館や公民館など）に常備しておけば、例えば、地震や水害などの災害が発生した緊急事態においてプライバシーなどを守りつつ、避難者を収容できる避難スペースを短時間で構築することができる。このように、空気注入式としているため、空気を注入するだけで緊急時に即座に対応することが可能で、逆に空気を抜けば著しく小型化することができるため、平常時における収容スペースの増大化も防止可能となる。
【００１７】
また、間仕切り本体と脚部とは、互いに独立した空気室を有するようにすることが好ましい。すなわち、複数連結した簡易間仕切りのうち、１つおきに間仕切り本体にのみ空気注入した簡易間仕切りを作ることで、脚部が邪魔になることなく、パーテーションとして使用することができる。
【００１８】
前記脚部は、間仕切り本体と別体構成とすることもできるが、間仕切り本体の一側短縁部の両側に連接することが好ましい。かかる構成にすることにより、簡易間仕切りを一つのパーツとして収納することができるため、例えば脚部を紛失するなどの虞がなく、両脚部の空気室に空気を注入すると、両脚部が所定の形状となり、間仕切り本体の一側短縁部の両側を両脚部で支えて、間仕切り本体を極めて簡単に起立状態に保持することとなる。
【００１９】
また、間仕切り本体の少なくとも一側面に、情報を掲示するための情報掲示部を設けることができる。すなわち、この情報掲示部を利用して、簡易間仕切りを実際に使用する際に、簡易間仕切りで区切られたスペースの目的を表す情報を掲示することができる。
【００２０】
さらに、間仕切り本体の端縁部には、連結用耳部を設けておくことができる。連結用耳部は、脚部を設ける一側短縁部を除く個所に設けておくとよい。かかる構成とすれば、複数の簡易間仕切りを連結する際に互いの連結用耳部に、例えば紐を通して結ぶことで簡易間仕切り同士を連結することができ、避難スペースを所望する広さに容易に構築することができる。
【００２１】
ところで、前記間仕切り本体はエアマットとして利用することができる。その場合、脚部を断面略三角形状とするとよい。かかる構成により、間仕切り本体をエアマットとして利用する際に、断面略三角形状の脚体の一方のみを膨張させ、これを空気枕として利用することが可能となる。
【００２２】
以下、本実施形態に係る簡易間仕切りの一例について、図面を参照しながら具体的に説明する。
【００２３】
〔簡易間仕切りの全体構成〕
本実施形態に係る簡易間仕切りを図１〜図５に示す。本実施形態の簡易間仕切り１は、空気を注入することにより矩形マット状に成形される間仕切り本体２と、空気を注入することにより接地面が成形されて間仕切り本体２を起立状態に保持する一対の脚部３，３と、を備えており、間仕切り本体２の両側面には、情報を掲示するための情報掲示部４，４を設けている。
【００２４】
間仕切り本体２は、矩形状の表側シート２１の周縁と矩形状の裏側シート２２の周縁に左右側部シート２３，２４や上部シート２５や底部シート２６の各周縁を融着することで、内部に空気を注入可能とした空気室１０を形成している。なお、ここでは、便宜上、表側シート２１と裏側シート２２とを区別しているが、表裏を逆に使用しても何ら支障はない。
【００２５】
間仕切り本体２の内部には、複数の短冊形状シート２７，・・，２７を間仕切り本体２の短辺方向に沿って所定間隔ごとに融着して内部仕切り壁５を形成している。具体的には、表側シート２１内面及び裏側シート２２内面に、短冊形状シート２７の左右長縁部２７ａ，２７ｂを融着して取付けることにより、表側シート２１内面及び裏側シート２２の各内面間を連結した内部仕切り壁５を形成している。なお、本実施形態における短冊形状シート２７の上端部２７ｃと下端部２７ｄは、空気が流通するように上部シート２５、底部シート２６からは、それぞれ離間した状態となっている。
【００２６】
このように、間仕切り本体２の内部を仕切り壁５で区切ることにより、空気室１０に空気を充填した際に間仕切り本体２が型崩れすることなく、矩形マット状とした形状を維持することが可能となる。
【００２７】
間仕切り本体２には、空気室１０に空気を注入或は空気室１０から空気を排出するための空気口１１を備えており、空気口１１は、表側シート２１の下部に設けられている。なお、本実施例における間仕切り本体２は、空気口を１箇所としたが、複数箇所設けるようにしてもよい。
【００２８】
本実施形態における簡易間仕切り１は、矩形マット状の間仕切り本体２を起立状態に保持する脚部３，３を、表側シート２１下方の一側短縁部２１ａ及び裏側シート２２の一側短縁部２２ａにそれぞれ連設している。
【００２９】
各脚部３は、間仕切り本体２の空気室１０とは独立した空気室１２を内部に有している。そして、脚部３の外形状としては、略三角柱を寝かした形状の断面略三角形状としている。また、各脚部３には、内部に、断面視略三角形状の複数のシート３１，・・，３１を融着して仕切り壁６を形成して、空気室１２に空気を注入したときに断面視略三角形状を維持可能としている。また、各脚部３の外側面には、空気室１２に空気を注入或は空気室から空気を排出するための空気口１３を備えている。
【００３０】
脚部３，３の底部３２，３２の接地面には、床面に吸着させて簡易間仕切り１として起立状態をより安定させるための吸盤からなる吸着部３３，・・，３３を設けている。
【００３１】
本実施形態では、簡易間仕切り１を使用する際に、間仕切り本体２の表側から裏側が透視できないように、つまり、間仕切り内部に形成される間仕切りスペースＳが外部から見えないように、裏側シート２２を有色不透明としている。なお、本実施例においては、裏側シートを白色としているが、その他の色であってもよい。また、裏側シート２２のみならず表側シート２１も着色するようにしてもよい。
【００３２】
間仕切り本体２の端縁部には、連結用耳部７，・・，７を複数配設しており、紐８などを用いて複数の簡易間仕切り１を連結して使用可能としている。本実施形態では、合計８つの連結用耳部７を、上部シート２５の左右端縁部２５ａ，２５ｂ、底部シート２６の左右端縁部２６ａ，２６ｂ、表側シート２１の長手方向の中央の左右長縁部２１ｂ，２１ｂ、及び裏側シート２２の長手方向の中央の左右長縁部２２ｂ，２２ｂに配設している。
【００３３】
連結用耳部７は、シート体を略半円弧形状に形成し、そのシート体の中央に連結用孔７ａを開口している。
【００３４】
間仕切り本体２の表側シート２１と裏側シート２２とに設けた情報掲示部４は、紙などのシートに印字した情報を収納して表示するための収納部４０を形成しており、本実施形態における収納部４０は、３分割したポケット４１，４１，４１からなり、これらのポケット４１に、適宜の情報を記載した３枚のシートをそれぞれ収納できるようにしている。情報としては、必要に応じて適宜設定することができ、例えば、避難対象地区名、要救護者の存否、避難家族名などがある。なお、収納部４０を形成するポケット４１の数は適宜設定することができる。
【００３５】
なお、情報掲示部４は、間仕切り本体２の両側面ではなく、表側シート２１或いは裏側シート２２のいずれか一方に設けるようにしてもよい。また、情報掲示部４は、フェルトペン等の筆記具で直接描けるようなシートとするようにしてもよい。
【００３６】
なお、本実施形態における間仕切り本体と脚部とは、互いに独立した空気室を有することとしたが、１個所の空気口から空気を注入可能となるように間仕切り本体の空気室と脚部の空気室とを互いに連結するような構造であってもよい。かかる構成とすることにより、１個所の空気口から空気を注入して間仕切り本体と脚部とを一気に組み立てることができる。
【００３７】
［簡易間仕切りの組み立て手順及び片付け手順］
先に簡易間仕切り１の組み立て手順について説明し、その後、組み立てた簡易間仕切り１を片付ける手順について説明する。
【００３８】
（１）例えば、図３に示すように折り畳まれた状態で倉庫などに収納されていた簡易間仕切り１を、例えば体育館などの避難所に持ち運んだ後に広げる。空気入れ装置（図示せず）を用いて、シート状の間仕切り本体１の空気口１１から空気を注入して、間仕切り本体２の空気室１０に所定量の空気を充填し、間仕切り本体２を略矩形マット形状に成形する。このとき、間仕切り本体２は、寝かせた状態である。
【００３９】
（２）次に、空気入れ装置を用いて、間仕切り本体２に連設した各脚部３，３に空気を注入する。すなわち脚部３，３の空気口１３から空気を注入して、各脚部３，３の空気室１２に所定量の空気を充填し、各脚部３，３を略断面視三角形状に成形する。間仕切り本体２を引き起こすと、間仕切り本体２の下部を両脚部３，３で支えて、両脚部３，３の接地面が床面と接地され、簡易間仕切り１が自立して床面に起立状態となる。
【００４０】
このようにして、空気入れ装置を用いることにより、極めて短時間のうちに、折り畳まれた状態から床面に起立した状態の簡易間仕切り１が完成する。
【００４１】
そして、上記（１）、（２）手順を繰り返すことにより、複数の簡易間仕切り１を短時間のうちに組み立てることが出来る。
【００４２】
災害時において、避難所に救護所設置や居住スペース設置のための間仕切りスペースＳを構築する際には、複数の簡易間仕切り１同士を紐８，・・，８を介して連結すれば、所定の広さの間仕切りスペースＳが構築でき、かかる間仕切りスペースＳとしては、平面視矩形形状は勿論のこと、一方の簡易間仕切り１と他方の簡易間仕切り１とを、その間が鈍角に連結されるように近接し並べて、互いの連結用耳部７，・・，７同士に紐８，・・，８を挿通して結ぶことで、図４及び図５に示すように、円形状のパーテーションＰを構築することも出来る。
【００４３】
このとき、１つの簡易仕切り１の情報掲示部４に、例えば、「救」、「護」、「所」と記載した紙をポケット４１，４１，４１に収納して掲示することにより、円形状のパーテーションＰ内の間仕切りスペースＳが「救護所」としてのスペースであることが一目瞭然となる。このように、情報掲示部４を利用すれば、間仕切りスペースＳが何のためのスペースであるか一目で視認可能となる。
【００４４】
しかも、各簡易間仕切り１は、裏側の裏側シート２２を白色としたことで間仕切り本体２の表側から間仕切りスペースＳ内を透視できない構成であるために、避難者らは人の目を気にしないですみ、プライバシーを守ることが出来るようになって心理的な負担を軽減することができる。
【００４５】
避難所における円形状のパーテーションＰを片付ける際には、組み立て時と逆の手順を行うこととなる。すなわち、空気入れ装置を用いて間仕切り本体１の空気口１１から空気を吸引しシート形状とし、次いで脚部３の空気口１３から空気を吸引すると、簡易間仕切り１がシート形状になる。
【００４６】
このシート状の簡易間仕切り１を複数回折り曲げると、図３に示すように、コンパクトな持ち運びし易い形態となる。これら折り重ねた簡易間仕切り１は、大量に準備しても１つ１つが小さい容量のために災害備蓄倉庫などの狭いスペースに収納することが可能となる効果がある。
【００４７】
ところで、本実施形態に係る簡易間仕切り１は、脚部３，３の空気室１２が間仕切り本体２の空気室１０と別途形成されて独立した構造のため、簡易間仕切り本体２の空気室１０と一方の脚部３の空気室１２に空気を充填すると、簡易間仕切り１を、脚部３を空気枕とするエアマットとして利用することができる。したがって、間仕切りスペースＳ内にエアマットとしての簡易間仕切り１を敷くことでベッド代わりに利用することができ、避難者に安眠してもらうことができる。
【００４８】
以上、本発明の好ましい実施形態について説明したが、本発明は上述してきた各実施形態に限定されるものではなく、特許請求の範囲に記載された本発明の要旨の範囲内において、種々の変形・変更が可能である。
【００４９】
例えば、内部仕切り壁５の構造としては、上述の構造に限定するものではなく、短冊形状シート２７の各上下端部２７ｃ，２７ｄを上部シート２５或は底部シート２６に融着する際に、上部シート２５に短冊形状シート２７の一方の上端部２７ｃ或は底部シート２６に短冊形状シート２７の一方の下端部２７ｄを融着するようにしてもよいし、上部シート２５や底部シート２６に短冊形状シート２７の上下端部２７ｃ，２７ｄの一方を交互に融着するようにしてジグザグ状の空気流路が形成されるようにしてもよい。
【００５０】
なお、脚部３，３の形状は、略断面視三角形状としたが、この形状に限定する必要はなく例えば略直方体の形状や半円柱の形状であってもよい。
【００５１】
また、簡易間仕切り１の用途としては、本来の間仕切り（パーテーション）としての他、上述したようにベッドにして使用したり、例えば水害などの場合は、水上に浮かべて防災用の筏として使用することも可能である。さらに、袋体における白色の裏部を映像を投影するためのスクリーンとして使用することも可能である。
【符号の説明】
【００５２】
１  簡易間仕切り
２  間仕切り本体
３  脚部
４  情報掲示部
５  内部仕切り壁
６  仕切り壁
７  連結用耳部
８  紐
１０  空気室
１１  空気口
１２  空気室
１３  空気口
２１  表側シート
２２  裏側シート
２３，２４  左右側部シート
２５  上部シート
２６  底部シート
３１  シート
４０  ポケット体
４１  ポケット
【図１】
2011074588.tif 000003
【図２】
2011074588.tif 000004
【図３】
2011074588.tif 000005
【図４】
2011074588.tif 000006
【図５】
2011074588.tif 000007